(57)【要約】【課題】中遠距離も明瞭に見ることの可能な老眼鏡を得る。【解決手段】眼鏡枠１には２個の凸レンズから成る所謂老視用レンズ２が嵌め込まれ、眼鏡枠１にはつる３、鼻掛部４が取り付けられている。眼鏡枠１の水平上縁部１ａの上方には、連結部材５を介して上部水平部材６が取り付けられていて、眼鏡枠１の上縁部１ａとの間に細間隔のスリットＳが形成されている。老視には倒乱視が多く併発しているが、その倒乱視の人がスリットＳを通して中遠方を見ると上下の垂直径線（弱主径線）のレンズ効果が弱められ、水平径線（強主径線）のレンズ効果がより強調されて像は前焦線に結像する。老人の倒乱視の前焦線はより網膜の近くにあるために、中遠距離が良く見えるようになる。【選択図】　　　　図１
2004012673.tif 000002
【特許請求の範囲】
【請求項１】
老視用レンズの上方に、水平方向に沿った細間隔のスリットを形成したことを特徴とする老眼鏡。
【請求項２】
前記スリットは眼鏡枠の一部に設けた請求項１に記載の老眼鏡。
【請求項３】
前記スリットは眼鏡枠の上に別部材を配置して設けた請求項１に記載の老眼鏡。
【請求項４】
前記スリットの間隔は調整可能とした請求項１に記載の老眼鏡。
【発明の詳細な説明】
【０００１】
【発明の属する技術分野】
本発明は、装着したままで、中遠方をも見ることのできる老眼鏡であり、特に倒乱視矯正作用のある水平細間隔スリットを老視用レンズの上方に設けて、老視と倒乱視の両方を持つ人が、老視用レンズを用いて近作業中に中遠方の目標をも明瞭に見ることのできるようにした老眼鏡に関するものである。
【０００２】
【従来の技術】
先ず、眼科的基礎的事項について説明すると、明視の距離２５〜３０ｃｍの眼の調節力は３〜４Ｄ（ジオプトリー）であり、老化によりこの眼の調節力が減退し、近くが見え難くなることを老視と云う。調節力は加齢と共に低下し、４５才で２〜４Ｄの調節力となり、従って４５才位からそろそろ老視が発現する。
【０００３】
近視眼は近方は見易いため、老化により眼の調節力が低下しても、近視の程度によって近視眼鏡の近視度を弱めるか、近視眼鏡を外して丁度良いか、或いは弱い凸レンズを用いることにより近方を見ることができる。
【０００４】
しかし、正視眼又は遠視眼では、老化により眼の調節力が低下すると、近方を見る際に眼の調節力の低下分を凸レンズで補うことになる。これが老眼鏡である。
【０００５】
また、乱視とは外界の一点から出た光線が眼外、眼内を問わずに一点に結像しない眼の屈折状態を云い、水平の径線と垂直の径線が直交し、両径線の焦線が前後にずれていることを正乱視とう。更に正乱視の内の最強の主径線が垂直の場合を直乱視、水平の場合を倒乱視と云う。そして、厳密に云うと殆どの眼は若干の乱視を持っているものである。
【０００６】
老年となれば、加齢と共に眼の調節力は低下し老視は進行する一方で、加齢と共に倒乱視も増加する傾向を示し、その乱視度も進行する。その原因としては、角膜の垂直径線の曲率が小さくなり、直乱視が減少すると共に、倒乱視傾向にある水晶体乱視が増加するためと云われている「眼科ＭＯＯＫ　Ｎｏ２９　老人と眼７頁」。また、「屈折異常とその矯正（改訂第３版）」（金原出版Ｐ．１３６）によれば、６０〜８０才の６６．９％が倒乱視である。
【０００７】
図１１は倒乱視の模式図を示している。倒乱視は正乱視の１つであり、そして正乱視は水平の径線と垂直の径線が直交している。倒乱視は水平の径線が強い屈折力を有し（強主径線）、無限の一点から出た光は前焦線で結像し、そして垂直の径線は弱い屈折力を有し（弱主径線）、同様に無限の一点から出た光は後焦線に結像することになる。
【０００８】
そして、老化により眼の調節力が低下すれば全体的に遠視傾向になるため、老化に伴う倒乱視では前焦線の方が後焦線よりも網膜に近い。また、この前後の焦線の間を焦域と云い、乱視の強さを表している。更に、この焦域の中間のやや前焦線寄りの部分を最小散乱円と云う。
【０００９】
通常では、乱視の人は焦点をこの最小散乱円に合わせて見ている。もし、眼の調節力が十分にあれば、前焦線或いは後焦線の何れかの調節労力の最も少なくて済む方を、網膜上に結像させて明瞭に見る。
【００１０】
高齢者の倒乱視の場合は、老視となり眼の調節力の低下が進行するにつれて併発する倒乱視の度も進行して焦域も大となり、裸眼視の場合に焦点の合う最小散乱円も網膜から遠くなる。更に、眼の調節力が低下していることから、前焦線を網膜上に結像させることがもはやできなくなって、中遠距離をぼんやりした網膜像で見ることになる。
【００１１】
従来、老視と倒乱視の両方を持つ老年者用の眼鏡としては、老視を矯正するための凸レンズと倒乱視を矯正するための円柱レンズとを組み合わせた眼鏡、即ち近距離と中遠距離兼用の眼鏡がある。しかし、乱視の計測も含めてこの種の眼鏡は比較的高価であり、またときには過矯正や空間の歪み等が問題になることがある。
【００１２】
【発明が解決しようとする課題】
例えば、老視眼となり老眼鏡を用いての近距離作業や読書の合間に、ふと視線を外して老眼鏡の上縁ごしに中遠距離の目標を見る場合は屡々ある。そうすると、老人の多くは倒乱視なので、倒乱視の老人が裸眼で見る中遠距離の目標はいつも少しづつぼけてみえる。それでも日常生活にはさほど困らないので放置することも多い。
【００１３】
しかし、前述のように老眼鏡から視線を外して中遠距離の目標物を見る際に、これらをもっと明瞭に見たい場合もある。例えば、帰ってきた孫の表情、ＴＶ画面の文字、窓の外の鳥や木など、例を挙げれば決して少なくない。
【００１４】
本発明の目的は、上述の問題点を解決し、より軽量で簡単安価な構成で、老視に伴う倒乱視を矯正し、装着したまま中遠近距離も明瞭に見ることが可能な老眼鏡を提供することにある。
【００１５】
【課題を解決するための手段】
上記目的を達成するための本発明に係る老眼鏡は、老視用レンズの上方に、水平方向に沿った細間隔のスリットを形成したことを特徴とする。
【００１６】
【発明の実施の形態】
本発明を図１〜図１０に図示の実施の形態に基づいて詳細に説明する。
図１は第１の実施の形態における老眼鏡の概略図を示し、眼鏡枠１には２個の凸レンズから成る所謂老視用レンズ２が嵌め込まれている。また、眼鏡枠１にはつる３、鼻掛部４が取り付けられている。眼鏡枠１の直線状の水平上縁部１ａの上方には、連結部材５を介して上部水平部材６が取り付けられていて、眼鏡枠１の上縁部１ａとの間に細間隔のスリットＳが形成されている。
【００１７】
また、この場合は眼鏡枠１の上縁部１ａが下部水平部材を兼ねているが、眼鏡枠１の上縁部１ａとは別途に下部水平部材を設けてもよい。つまり、図２に示すように眼鏡枠１の上縁部１ａ上に下部水平部材７が取り付けられ、眼鏡枠１の中央部で連結部材８を介して上部水平部材６を連結してもよい。
【００１８】
なお、眼鏡枠１、上部水平部材６、下部水平部材７は、不透明部材であることが好ましい。
【００１９】
このようにスリットＳを老眼鏡の上方に形成することにより、老眼鏡の使用時に、上目使いにスリットＳを介して中遠方を見ると、中遠方を明瞭に見ることができる。なお、スリットＳは上下の視野が比較的狭いという欠点があるが、老視用レンズ２を用いて近作業中に中遠距離を明瞭に見たいときに用いるという比較的限定された用途であることと、小型、軽量、簡便、安価であることを考えれば、十分に容認される範囲である。
【００２０】
ここで、スリットＳが倒乱視を矯正する効果がある理由を説明する。先ず、図３に示すように目標を注視しながら倒乱視の眼前に水平の辺縁を有する板を下方から持ってきて、見えている目標のごく近くまで下方の視野を被ってしまうと、この水平の辺縁の直上の領域をより鮮明に見ることができる。これは、垂直径線（弱主径線）の下方のレンズ効果が阻害され、辺縁直上では水平径線（強主径線）のレンズ効果がより強調され、像は前焦線に結像するからである。老人の倒乱視の前焦線は、より網膜の近くにあるために良く見えることになる。
【００２１】
同様に、目標に注目しながら倒乱視の眼前に水平の辺縁を上方から持ってきて、見えている目標のごく近くまで近付けると、同様の理由により近縁直下の領域が明瞭に見える。
【００２２】
このようにして、倒乱視の年輩者がスリットＳを介して目標を見ると、垂直径線（弱主径線）からの影響の少ない光束、つまり水平径線（強主径線）からの光束が前焦線に像を結び、前焦線は網膜により近いので目標をより明瞭に見ることができる。
【００２３】
図４は第２の実施の形態における老眼鏡の斜視図を示し、第１の実施の形態と同一の部材には同一の符号を付している。本実施の形態においては、上部水平部材６は眼鏡枠１の中央部のブリッジ９を回避するように、上部水平部材６の中央部６ａが前方に弯曲されている。また、スリットＳの幅を調節可能とするために、上部水平部材６はビス１０を介して連結部材５にビス止めされている。
【００２４】
図５は第３の実施の形態の老眼鏡の正面図を示し、眼鏡枠１の両眼の老視用レンズ２の上方に別々に上部水平部材６、６が設けられており、老視用レンズ２に沿って眼鏡枠１の上縁部１ａは弯曲しており、上部水平部材６、６も同様に弯曲している。従って、スリットＳも上縁部１ａ、上部水平部材６の曲線に沿って前方に凸状とした形状とされている。
【００２５】
図６は第４の実施の形態の老眼鏡の斜視図を示し、２個の蝶番１１を介して上部水平部材６が上縁部１ａに所定間隔を隔てて連結され、スリットＳを使用しない場合には、上部水平部材６を下方に折り畳んで、眼鏡枠１の上縁部１ａと重ねて小さく収納することができる。
【００２６】
図７は第５の実施の形態におけるスリットユニット１２の斜視図を示し、両側に眼鏡枠１への係止部１３を有する下部水平部材７に、ビス１４を介して上部水平部材６が取り付られている。
【００２７】
このスリットユニット１２は図８に示すように、眼鏡枠１の上縁部１ａに着脱自在とすることができる。
【００２８】
図９は第６の実施の形態における老眼鏡の斜視図を示し、眼鏡枠１を使用しないプラスチック等の合成樹脂製の簡便老眼鏡１５の上縁部１５ａにビス１６を介して下部水平部材７が固定されており、更に連結部材１７を介して上部水平部材６が固定されており、このビス止めの位置を変えることによりスリットＳの間隔を任意に調節することができる。
【００２９】
図１０は第７の実施の形態における老眼鏡の斜視図を示し、眼鏡枠１の上縁部１ａの上に水平部材１８、１９が２段に連結部材２０を介して設けられており、スリットＳが２列に形成されている。このように、水平部材１８、１９を２段に設けることにより、スリットＳの幅の視野の狭さを或る程度補うことができる。なお、本実施の形態においては２段の水平部材１８、１９を設けたが、更に多段に水平部材を設けてもよい。
【００３０】
【発明の効果】
以上説明したように本発明に係る老眼鏡は、老視用レンズの上方に倒乱視を矯正可能な水平方向に沿った細間隔のスリットを設けているので、近作業等で老視用凸レンズを用いながらも、必要に応じて明瞭に中遠距離の目標を見ることができる。
【図面の簡単な説明】
【図１】第１の実施の形態の斜視図である。
【図２】第２の実施の形態の斜視図である。
【図３】作用効果の説明図である。
【図４】第２の実施の形態の斜視図である。
【図５】第３の実施の形態の斜視図である。
【図６】第４の実施の形態の斜視図である。
【図７】スリットユニットの斜視図である。
【図８】第５の実施の形態の斜視図である。
【図９】第６の実施の形態の斜視図である。
【図１０】第７の実施の形態の斜視図である。
【図１１】倒乱視の説明図である。
【符号の説明】
１　眼鏡枠
２　老視用レンズ
３　つる
４　鼻掛部
５、８、１７、２０　連結部材
６　上部水平部材
７　下部水平部材
９　ブリッジ
１０、１４、１６　ビス
１１　蝶番
１２　スリットユニット
１３　係止部
１８、１９　水平部材
【図１】
2004012673.tif 000003
【図２】
2004012673.tif 000004
【図３】
2004012673.tif 000005
【図４】
2004012673.tif 000006
【図５】
2004012673.tif 000007
【図６】
2004012673.tif 000008
【図７】
2004012673.tif 000009
【図８】
2004012673.tif 000010
【図９】
2004012673.tif 000011
【図１０】
2004012673.tif 000012
【図１１】
2004012673.tif 000013